(57)【要約】【課題】歯を、その頬面、舌面及び噛み合わせ面の２方向又は３方向から同時に磨くことのできる歯ブラシを提供すること。【解決手段】植毛台１１の表面１１ａに、ブリッスル１３，１３・・・・を束ねて構成されるタフト１４，１４・・・・を多数個植設した歯ブラシにおいて、前記タフト１４の先端１４ａの上方を通って前記植毛台１１の一方の長手方向側部１１ｂから他方の長手方向側部１１ｃに亘り、融着又は接着により植設されたアーチ状タフト１５，１５・・・・を複数個備えている。【選択図】　　図１
2004016358.tif 000002
【特許請求の範囲】
【請求項１】
植毛台の表面に、ブリッスルを束ねて構成されるタフトを多数個植設した歯ブラシにおいて、
前記タフトの先端の上方を通って前記植毛台の一方の長手方向側部から他方の長手方向側部に亘り、融着又は接着により植設されたアーチ状タフトを複数個備えた歯ブラシ。
【請求項２】
前記アーチ状タフトは、それらの歯ブラシ長手方向の間隔が、２〜６ｍｍである請求項１に記載の歯ブラシ。
【請求項３】
前記タフトの先端と前記アーチ状タフトの最高部との間隔が、５〜１５ｍｍである請求項１又は２に記載の歯ブラシ。
【請求項４】
前記アーチ状タフトは、所定形状に形状記憶処理されている請求項１〜３の何れかに記載の歯ブラシ。
【請求項５】
植毛台の表面に、ブリッスルを束ねて構成されるタフトを多数個植設した歯ブラシにおいて、
前記植毛台の一方及び他方の長手方向側部それぞれから前記タフトの先端の上方に亘り、融着又は接着により、それぞれ対向させて植設されたアーチ状タフトを複数個備えた歯ブラシ。
【請求項６】
対向する前記アーチ状タフトの先端同士の前記植毛台幅方向の間隔が、５ｍｍ以下である請求項５に記載の歯ブラシ。
【発明の詳細な説明】
【０００１】
【発明の属する技術分野】
本発明は、新規な歯ブラシ、詳しくは、歯を、その頬面、舌面及び噛み合わせ面の２方向又は３方向から同時に磨くことのできる歯ブラシに関する。
【０００２】
【従来の技術及び発明が解決しようとする課題】
歯を磨く際には、その頬面、舌面及び噛み合わせ面を、それぞれ歯ブラシの磨き方向又は角度を変えて磨く必要があるが、従来の歯ブラシでは、歯の各面を同時に磨くことは不可能であった。
【０００３】
従って、本発明の目的は、歯を、その頬面、舌面及び噛み合わせ面の２方向又は３方向から同時に磨くことのできる歯ブラシを提供することにある。
【０００４】
【課題を解決するための手段】
本発明は、植毛台の表面に、ブリッスルを束ねて構成されるタフトを多数個植設した歯ブラシにおいて、前記タフトの先端の上方を通って前記植毛台の一方の長手方向側部から他方の長手方向側部に亘り、融着又は接着により植設されたアーチ状タフトを複数個備えた歯ブラシ（以下、第１発明ともいう）を提供することにより、上記目的を達成したものである。
また、本発明は、植毛台の表面に、ブリッスルを束ねて構成されるタフトを多数個植設した歯ブラシにおいて、前記植毛台の一方及び他方の長手方向側部それぞれから前記タフトの先端の上方に亘り、融着又は接着により、それぞれ対向させて植設されたアーチ状タフトを複数個備えた歯ブラシ（以下、第２発明ともいう）を提供することにより、上記目的を達成したものである。
【０００５】
【発明の実施の形態】
以下、本発明（第１発明）の歯ブラシを、その好ましい一実施形態（第１実施形態）について、図面を参照して説明する。
第１実施形態の歯ブラシ１０は、図１〜図３に示すように、植毛台１１の表面１１ａに、ブリッスル１３，１３・・・・を束ねて構成されるタフト１４，１４・・・・を多数個植設してある。
【０００６】
植毛台１１の大きさは、従来の歯ブラシの植毛台と同程度の大きさで、好ましくは、長手方向に１０〜３０ｍｍ、幅方向に８〜１２ｍｍ、厚み方向に３〜６ｍｍである。
植毛台１１の表面１１ａには、図１〜図３に示すように、植毛孔１２が２６個整列して形成され、詳細には、長手方向６列×幅方向４列に２４個整列して形成され、更に植毛台１１の先端１１ｄ近傍に２個形成されている。そして、各植毛孔１２それぞれには、前記タフト１４が公知の融着方法又は接着方法により植設されている。
タフト１４（ブリッスル１３）の植毛台１１の表面１１ａからの高さは、好ましくは３〜８ｍｍであり、第１実施形態においては、各タフト１４の高さが略同一となっている。
これらの点については、従来のこの種の歯ブラシと同様の構成である。
【０００７】
第１実施形態の歯ブラシ１０は、前述の歯ブラシにおいて、図１〜図３に示すように、前記タフト１４の先端１４ａの上方を通って前記植毛台１１の一方の長手方向側部１１ｂから他方の長手方向側部１１ｃに亘り、融着又は接着により植設されたアーチ状タフト１５，１５・・・・を複数個備えたものである。
第１実施形態の歯ブラシ１０について更に詳述すると、アーチ状タフト１５は、図２に示すように、歯ブラシ長手方向に所定間隔Ｐで６個設けられている。このアーチ状タフト１５の数は、好ましくは４〜１４個である。
この間隔Ｐは、好ましくは１〜４ｍｍ、第１実施形態の歯ブラシ１０においては、図２に示すように、タフト１４の歯ブラシ長手方向の間隔と一致している。前記タフト１４の先端１４ａと前記アーチ状タフト１５の最高部１５ａとの間隔Ｑ（図３参照）は、好ましくは３〜７ｍｍ、更に好ましくは４〜６ｍｍである。
【０００８】
アーチ状タフト１５は、好ましくは１〜２４本、更に好ましくは１０〜２０本のブリッスル１６，１６・・・・から構成されている。
また、アーチ状タフト１５は、その長さ（植毛台１１に埋め込まれた部分は含まず）が好ましくは１０〜１８ｍｍであり、その太さが、図２に示すように、タフト１４の太さは同じかやや細くされている。
【０００９】
アーチ状タフト１５は、所定形状に形状記憶処理されており、所定形状に復元されるようになしてある。そのため、アーチ状タフト１５は、使用後においては図１〜図３に示すような形態に保たれる。
【００１０】
第１実施形態の歯ブラシ１０において、植毛台１１の長手方向側部１１ｂ及び１１ｃへのアーチ状タフト１５の植設は、例えば以下に説明する方法により行われる。
毛束挿入孔の断面形状や断面積に対応した個別のスリーブを用意し、該スリーブに用毛を導入し、該スリーブ内の毛束を押出手段にて対応する毛束挿入孔のそれぞれに個別に挿入する。その後、電熱ヒータや熱風、レーザ、超音波振動により、毛束を加熱して瞬時に溶融せしめた後、基板背面充填成形機に挿入する。成形機は、金型基板の背面に密着し、基板背面の凹部に樹脂を射出成形し歯ブラシとする。
【００１１】
第１実施形態の歯ブラシ１０によれば、例えば、タフト１４により歯の噛み合わせ面を磨くと、同時に、アーチ状タフト１５の内側面１５ｂ（図３参照）により歯の頬面及び舌面も（即ち３方向から）磨くことができる。同様に、タフト１４により歯の頬面を磨くと、同時に、アーチ状タフト１５の内側面１５ｂにより歯の噛み合わせ面も（即ち２方向から）磨くことができる。
また、タフト１４により歯の頬面を磨くと、同時に、アーチ状タフト１５の内側面１５ｂにより歯ぐきもマッサージすることができる。同様にタフト１４により歯の噛み合わせ面を磨くと、同時に、アーチ状タフト１５’の先端面１５ｃにより歯の頬面及び舌面や歯ぐきもマッサージすることができる。
【００１２】
次に、第２発明の歯ブラシを、その好ましい一実施形態（第２実施形態）について説明する。
第２実施形態の歯ブラシ１０’は、第１実施形態の歯ブラシ１０と同様に、植毛台の長手方向側部に、所定形状を有する別のタフトを設けたもので、具体的には、第１実施形態の歯ブラシ１０における「アーチ状タフト１５」の代わりに、「アーチ状タフト１５’」を設けたものであり、これ以外の構成は、第１実施形態の歯ブラシ１０と同様に構成されている。
第２実施形態における「アーチ状タフト１５’」は、第１実施形態における「アーチ状タフト１５」をその最高部１５ａ近傍で２分したものと、同様な構成からなっている。
【００１３】
第２実施形態の歯ブラシ１０’は、図４に示すように、植毛台１１の表面１１ａに、ブリッスル１３を束ねて構成されるタフト１４を多数個植設した歯ブラシにおいて、前記植毛台１１の一方の長手方向側部１１ｂ及び他方の長手方向側部１１ｃそれぞれから前記タフト１４の先端１４ａの上方に亘り、融着又は接着により、それぞれ対向させて植設されたアーチ状タフト１５’を複数個備えたものである。
第２実施形態の構成に関し特に詳述しない点については、第１実施形態の構成と同様であり、第１実施形態と同様の構成部位には同じ符号をしてあるので、それらの説明を省略する。
【００１４】
第２実施形態の歯ブラシ１０’においては、対向する前記アーチ状タフト１５’の先端同士の前記植毛台幅方向の間隔Ｒは、好ましくは７ｍｍ以下、更に好ましくは１〜３ｍｍである。
対向するアーチ状タフトの先端同士は、正面視（図４参照）において重なっていても良く（前記植毛台幅方向の間隔Ｒは０ｍｍ）、そのような形態の歯ブラシの場合には、正面視における、対向するアーチ状タフトの先端同士が重なる長さは、植毛台の幅方向において、好ましくは３ｍｍ以下、更に好ましくは１〜２ｍｍである。
また、アーチ状タフト１５’は、その長さ（植毛台１１に埋め込まれた部分は含まず）が好ましくは１５〜２５ｍｍである。
【００１５】
第２実施形態の歯ブラシ１０’によれば、例えば、タフト１４により歯の噛み合わせ面を磨くと、同時に、アーチ状タフト１５’の先端面１５ｃ（図４参照）により歯の頬面及び舌面も（即ち３方向から）磨くことができる。同様に、タフト１４により歯の頬面を磨くと、同時に、アーチ状タフト１５’の先端面１５ｃにより歯の噛み合わせ面も（即ち２方向から）磨くことができる。
【００１６】
以上、本発明（第１発明、第２発明）の歯ブラシを、その好ましい実施形態について説明したが、本発明の歯ブラシは、前述した第１及び第２実施形態に制限されることなく、本発明の趣旨を逸脱しない限り、下記のように適宜変更が可能である。
【００１７】
第１発明における「アーチ状タフト」は、「タフトの先端の上方を通って植毛台の一方の長手方向側部から他方の長手方向側部に亘り植設された」ものであれば、第１実施形態における形態に限定されない。また、植毛台の「長手方向側部」は、第１実施形態のような平面状のもの（図１及び図３参照）に限定されず、適宜の形状とすることができる。
第１実施形態においては、側面視（図２参照）において、タフト１４とアーチ状タフト１５とが重なるように配置されているが、第１発明においては、アーチ状タフト１５はタフト１４の間に配置されていてもよい。また、第１実施形態においては、アーチ状タフト１５の太さは、タフト１４の太さよりが細いが、第１発明においては、タフト１４の太さと略同じでもよく、タフト１４の太さより太くてもよい。アーチ状タフト１５は、所定形状に形状記憶処理されていなくてもよい。
【００１８】
アーチ状タフトは、種々の断面形状のものを用いることができる。また、アーチ状タフトをブリッスルから構成する場合の該ブリッスルとしては、合成樹脂製のモノフィラメント又はマルチフィラメントを用いることができ、合成樹脂製以外の豚毛や馬毛等を用いることもできる。アーチ状タフトは、矩形断面又は円形断面等の断面を有する１本又は数本のエラストマー部材から構成することもできる。
【００１９】
また、第２発明における「アーチ状タフト」は、「植毛台の一方及び他方の長手方向側部それぞれからタフトの先端の上方に亘り植設された」ものであれば、第２実施形態における形態に限定されない。
第２実施形態の歯ブラシ１０’においては、正面視（図４参照）において、アーチ状タフト１５’は、左右対称に設けられているが、左右非対称に設けられていてもよい。
第２実施形態の歯ブラシ１０’においては、アーチ状タフト１５’の先端面１５ｃは、植毛台１１の表面１１ａに対して直交した形状となされているが、その他の種々の形状とすることもできる。
第１実施形態におけるアーチ状タフト１５及び第２実施形態におけるアーチ状タフト１５’は、側面視において、植毛台１１の表面１１ａに対して鉛直に設けてあるが、植毛台１１の表面１１ａに対して傾斜して設けることもできる。
【００２０】
【発明の効果】
本発明の歯ブラシによれば、歯を、その頬面、舌面及び噛み合わせ面の２方向又は３方向から同時に磨くことができる。
【図面の簡単な説明】
【図１】本発明の第１実施形態の歯ブラシの植毛台近傍を示す斜視図である。
【図２】本発明の第１実施形態の歯ブラシの植毛台近傍を示す側面図である。
【図３】本発明の第１実施形態の歯ブラシの植毛台近傍を示す正面図である。
【図４】本発明の第２実施形態の歯ブラシの植毛台近傍を示す正面図である。
【符号の説明】
１０、１０’　歯ブラシ
１１　植毛台
１１ａ　表面
１１ｂ、１１ｃ　長手方向側部
１２　植毛孔
１３、１６　ブリッスル
１４　タフト
１４ａ　先端
１５、１５’　アーチ状タフト
【図１】
2004016358.tif 000003
【図２】
2004016358.tif 000004
【図３】
2004016358.tif 000005
【図４】
2004016358.tif 000006